(57)【要約】【課題】中空ボードの接合部に突起や段差が生じることなく、中空ボード同士を強固に接合することができる中空ボードの接合方法を提供する。【解決手段】各中空ボード１０，１０の端部の間隙部１２に、上記間隙部１２と略相補形状の断面を有する接合用中子２０を、各中空ボード１０，１０の端部に跨ってはめ差し込んだ後、接合用中子２０が内設されるように各中空ボード１０，１０の開放端同士１４，１５を当接させ、接合用中子２０と各中空ボード１０，１０とを熱溶着で接合する。【選択図】　図１
2004136620.tif 000002
【特許請求の範囲】
【請求項１】
中空部又は半中空部を有する中空ボード同士の接合方法であって、
各中空ボードの端部の間隙部に、上記間隙部と略相補形状の断面を有する接合用中子を、各中空ボードの端部に跨ってはめ差し込んだ後、該接合用中子が内設されるように各中空ボードの開放端同士を当接させ、該接合用中子と各中空ボードとを熱溶着で接合することを特徴とする中空ボードの接合方法。
【請求項２】
中空ボードが、気泡ボード又はプラスチック段ボールである請求項１に記載の中空ボードの接合方法。
【請求項３】
接合用中子が、中実又は中空である請求項１又は２に記載の中空ボードの接合方法。
【請求項４】
接合用中子が、前記中空部又は半中空部と略相似形の中空又は半中空断面を有する請求項１又は２に記載の中空ボードの接合方法。
【請求項５】
接合用中子が、中空ボードと同じ材質から形成されている請求項１〜４のいずれか１項に記載の中空ボードの接合方法。
【発明の詳細な説明】
【０００１】
【発明の属する技術分野】
本発明は、中空ボードの接合方法に関する。
【０００２】
【従来の技術】
養生シート、構造材としてプラスチック段ボールや気泡ボード等の中空ボードが多用されている。
上記中空ボードは、通常、製造装置の関係から寸法幅の制約が存在している。
このため、寸法幅を超える中空ボードを得るためには、既存の中空ボード同士を継ぎ足すことが必要不可欠であった。
上記中空ボードは、その物性上、接着による接合が困難であるため、リベットやステップルによる接合や熱溶着（高周波、超音波振動等で加圧・加熱して接合させる方法）による接合が一般的に行われている。
【０００３】
従来の中空ボードの接合方法は、例えば、図７に示すように、各中空ボード１０，１０の端部に跨るようにあて板５０を設けた後、各中空ボード１０，１０の端部とあて板５０とをリベット５２で接合したり、図８に示すように、各中空ボード１０，１０の端部を重ね合わせ、得られた接合部３０を熱溶着することが主に行われていた。
【０００４】
しかしながら、図７に示す接合方法は、十分な接合強度を得るため、リベット４２やステップル（図示せず）による接合を複数箇所に分散して使用する必要があるが、生産性が低く、リサイクルや廃材処理も困難であった。
【０００５】
一方、図８に示す接合方法は、加熱の際に加えられる圧力によって、軟化した接合部３０が押し潰されて、中空ボード１０を構成するシートの肉厚が、接合した部分と、溶けただけで接合しなかった部分との境界で最も薄くなり、局部的な引き剥がしの外力が加わると、この部分から比較的簡単に引き裂かれてしまうという欠点があった。
また、加熱用金属片や超音波振動子を押し当てて熱溶着すると、中空ボード１０の表面に大きな歪みができて外観を損ねるといった問題があった。
【０００６】
更に、図７及び図８に示す接合方法は、いずれも接合部３０に突出や段差が生じ、平坦ではないため、実際の使用において種々の問題が発生していた。
【０００７】
【発明が解決しようとする課題】
本発明は、かかる従来の問題に鑑みてなされたものであり、その目的とするところは、中空ボードの接合部に突起や段差が生じることなく、中空ボード同士を強固に接合することができる中空ボードの接合方法を提供することにある。
【０００８】
【課題を解決するための手段】
すなわち、本発明によれば、中空部又は半中空部を有する中空ボード同士の接合方法であって、各中空ボードの端部の間隙部に、上記間隙部と略相補形状の断面を有する接合用中子を、各中空ボードの端部に跨ってはめ差し込んだ後、該接合用中子が内設されるように各中空ボードの開放端同士を当接させ、該接合用中子と各中空ボードとを熱溶着で接合することを特徴とする中空ボードの接合方法が提供される。
このとき、上記中空ボードは、気泡ボード又はプラスチック段ボールであることが好ましい。
【０００９】
また、本発明では、接合用中子が、中実又は中空であることが好ましい。
このとき、接合用中子は、中空ボードの中空部又は半中空部と略相似形の中空又は半中空断面を有することが好ましい。
更に、本発明によれば、接合用中子が、中空ボードと同じ材質から形成されていることが好ましい。
【００１０】
【発明の実施の形態】
本発明の中空ボードの接合方法は、中空部又は半中空部を有する中空ボード同士の接合方法であって、各中空ボードの端部の間隙部に、上記間隙部と略相補形状の断面を有する接合用中子を、各中空ボードの端部に跨ってはめ差し込んだ後、接合用中子が内設されるように各中空ボードの開放端同士を当接させ、接合用中子と各中空ボードとを熱溶着で接合するものである。
これにより、中空ボードの接合部に突起や段差が生じることなく、中空ボード同士を強固に接合することができる。
【００１１】
以下、本発明の実施の形態について図面を参照しながら説明する。
図１（ａ）（ｂ）は、本発明の中空ボードの接合方法の一例を示す説明図である。
本発明の中空ボードの接合方法の主な特徴は、図１（ａ）（ｂ）に示すように、各中空ボード１０，１０の端部の間隙部１２に、上記間隙部１２と略相補形状の断面を有する接合用中子２０を、各中空ボード１０，１０の端部に跨ってはめ差し込んだ後、接合用中子２０が内設されるように各中空ボード１０，１０の開放端同士１４，１５を当接させ、接合用中子２０と各中空ボード１０，１０とを熱溶着で接合することにある。
【００１２】
これにより、本発明の中空ボードの接合方法は、通常、製造装置の関係から寸法幅の制約が存在する中空ボード１０，１０同士を継ぎ足して、寸法幅を超える中空ボード４０を得る際に、リベットやステップルを用いることなく、中空ボード１０，１０同士を強固に接合することができるため、生産性に優れているだけでなく、得られた中空ボード４０の接合部３０に突起や段差がないため、実用上極めて有益な効果を有する。
【００１３】
また、本発明の中空ボードの接合方法は、接合用中子２０を各中空ボード１０，１０の端部に跨ってはめ差し込むことにより、熱溶着後の接合部３０における各中空ボード１０，１０の開放端同士１４，１５の肉厚を均等にすることができるため、局所的な引き剥がし外力が加わっても、簡単に引き裂かれることなく、更に、加熱用金属片や超音波振動子を押し当てて熱溶着しても、接合部３０の中空ボード１０，１０の外面に大きな歪みができないため、外観を損ねることがない。
【００１４】
このとき、図２（ａ）（ｂ）に示すように、接合用中子２２は、中空部又は半中空部と略相似形の中空又は半中空断面を有してもよく、また、接合用中子が特に、中実構造である場合、図３（ａ）（ｂ）に示す接合用中子２４を用いてもよい。
【００１５】
尚、本発明で用いる接合用中子は、中空ボードと同じ材質から形成されていることが、リサイクルや廃棄処理も容易に行うことができるため好ましい。
【００１６】
尚、本発明で用いる中空ボードは、気泡ボード又はプラスチック段ボールであることが好ましく、特に、気泡シートであることがより好ましい。
これは、図９（ａ）に示す中空ボード１１が、その製造時に、機械の設備上、中空ボード１１の巾方向が制約されるため、中空ボード１１の巾方向を延長する場合、図９（ｂ）に示すように、接合用中子２６を用いて、中空ボード１１同士を接合することが行われるが、図９（ｃ）に示すように、接合部３２における接合用中子２６と中空ボード１１の開放端１４，１５との付け根部分の強度低下が避けられないからである。
中空ボード１１同士を接合する場合、図３（ａ）（ｂ）に示す接合用中子２４を用いてもよい。
【００１７】
本発明で用いる気泡ボードは、特に限定されないが、例えば、ポリプロピレン（ＰＰ）又は高密度ポリエチレン（ＰＥ）を主原料とする気泡ボード（プラパール）であることが好ましい。
このとき、上記気泡ボードは、ポリプロピレン（ＰＰ）の場合、高温特性に優れており、また、高密度ポリエチレン（ＰＥ）製の場合、低温特性に優れている。
また、上記気泡ボードの材質としては、原料にダイオキシン抑制剤の活性フェロキサイドや焼成ドロマイトを添加しても良い。
活性フェロキサイドは、燃焼温度を高め、合成樹脂の不完全燃焼によるベンゼン環の発生を抑制する効果があり、また、焼成ドロマイトには、塩素の吸着効果のあることが知られている。
【００１８】
更に、上記気泡ボードの構造は、例えば、図４に示すように、円柱状に真空成形したシート８０と上下二枚のシート８２，８４を熱溶着した三層中空積層体、若しく図５及び図６に示すように、円柱状に真空成形したシート８０の表面又は裏面に１枚のシート（８２又は８４）を貼り合わせた二層中空積層体である。
これにより、上記気泡ボードは、独特の中空構造により、非常に軽量であり、平面圧縮強度、耐衝撃性、緩衝効果、熱遮断効率に優れているとともに、縦横の強度差がないため、どの方向にも加工することができる。
また、上記気泡ボードは、耐水性、防湿性、耐薬品性に優れているとともに、リサイクルも可能であり、焼却されても塩化水素・ダイオキシンが発生しないため、環境保全に寄与することができる。
【００１９】
尚、本発明で用いるプラスチック段ボールは、例えば、ポリプロピレン（ＰＰ）を主原料とするプラスチック段ボールであることが好ましい。
【００２０】
【発明の効果】
以上説明したように、本発明の中空ボードの接合方法は、中空ボードの接合面に突起や段差が生じることなく、中空ボード同士を強固に接合することができる。
【図面の簡単な説明】
【図１】本発明の中空ボードの接合方法の一例を示すものであり、（ａ）は接合前、（ｂ）は接合後の状態を示す説明図である。
【図２】本発明の中空ボードの接合方法の他の例を示すものであり、（ａ）は接合前、（ｂ）は接合後の状態を示す説明図である。
【図３】本発明の中空ボードの接合方法の更に他の例を示すものであり、（ａ）は接合前、（ｂ）は接合後の状態を示す説明図である。
【図４】本発明で用いる気泡ボードの一例を示すものであり、（ａ）は概略斜視図、（ｂ）は要部断面図である。
【図５】本発明で用いる気泡ボードの他の例を示すものであり、（ａ）は概略斜視図、（ｂ）は要部断面図である。
【図６】本発明で用いる気泡ボードの別の例を示すものであり、（ａ）は概略斜視図、（ｂ）は要部断面図である。
【図７】従来の中空ボードの接合方法の一例を示す説明図である。
【図８】従来の中空ボードの接合方法の他の例を示す説明図である。
【図９】中空ボード（プラスチック段ボール）同士の接合方法の一例を示すものであり、（ａ）は中空ボード（プラスチック段ボール）の正面図、（ｂ）は中空ボード（プラスチック段ボール）同士の接合状態を示す説明図、（ｃ）は（ｂ）の要部断面図である。
【符号の説明】
１０，１１…中空ボード、
１２…間隙部、
１４，１５…開放端、
２０，２２，２４，２６…接合用中子、
３０，３２…接合部、
４０…中空ボード、
５０…当て板、
５２…リベット、
８０…円柱状に真空成形したシート、
８２，８４…シート。
【図１】
2004136620.tif 000003
【図２】
2004136620.tif 000004
【図３】
2004136620.tif 000005
【図４】
2004136620.tif 000006
【図５】
2004136620.tif 000007
【図６】
2004136620.tif 000008
【図７】
2004136620.tif 000009
【図８】
2004136620.tif 000010
【図９】
2004136620.tif 000011